(57)【要約】【課題】保温のための建物を必要としないか又は暖房のためのエネルギーの使用量を削減する。膜モジュールを地上に支持するための鋼材の使用量を削減する。【解決手段】膜モジュール外筒（１ａ）の少なくとも下半分を地中（Ｇ）に埋設する。膜モジュール外筒（１ａ）の上方へ膜糸部分（１ｂ）を引き出すことができるタイプの膜モジュール（１）を用いると共に膜糸部分（１ｂ）を膜モジュール外筒（１ａ）の上方へ引き出すのに必要な膜モジュール外筒（１ａ）の上部を少なくとも地上に出しておく。【効果】保温のための建物を必要としないか、又は、暖房のためのエネルギーの使用量を削減できる。膜モジュールを地上に支持するための鋼材の使用量を削減できる。【選択図】図１
2007144357.tif 000002
【特許請求の範囲】
【請求項１】
膜モジュール（１）の膜モジュール外筒（１ａ）の少なくとも下半分を地中（Ｇ）に埋設することを特徴とする膜モジュール設備（１００）。
【請求項２】
請求項１に記載の膜モジュール設備（１００）において、前記膜モジュール（１）は、膜モジュール外筒（１ａ）の上方へ膜糸部分（１ｂ）を引き出すことができるタイプの膜モジュールであることを特徴とする膜モジュール設備（１００）。
【請求項３】
請求項１または請求項２に記載の膜モジュール設備（１００）において、前記膜モジュール外筒（１ａ）の上部を地上に出したことを特徴とする膜モジュール設備（１００）。
【発明の詳細な説明】
【技術分野】
【０００１】
本発明は、膜モジュール設備に関し、さらに詳しくは、保温のための建物を必要としないか又は暖房のためのエネルギーの使用量を削減できると共に膜モジュールを地上に支持するための鋼材の使用量を削減することが出来る膜モジュール設備に関する。
【背景技術】
【０００２】
上水道や下水道のための従来の膜モジュール設備では、膜モジュールを地上に設置している（特許文献１参照）。
他方、膜モジュールを地下に埋設して地下水と接触させ、地下水中の揮発性有害物質を除去する技術が提案されている（特許文献２参照）。
【０００３】
【特許文献１】特開平１１−１６９８７２号公報
【特許文献２】特開平６−５５１６６号公報
【発明の開示】
【発明が解決しようとする課題】
【０００４】
膜モジュールを地下に埋設する技術は知られていたが、これは地下水と接触させて地下水中の揮発性有害物質を除去するためであり、地下水と接触させる必要がない上水道や下水道のための膜モジュール設備では、地上に膜モジュールを設置している。地上に設置する方が、工事もメンテナンスも容易だからである。
しかし、寒冷地では、冬期での膜モジュールの膜糸の凍結防止のために、保温のための建物を築造しなければならない問題点があった。また、処理水量が大きくなって、膜モジュール設備が大きくなればなるほど、暖房装置も大きくなり、電力代や燃料代といったエネルギーの使用量が増加する問題点があった。さらに、膜モジュールを地上に支持するために用いる鋼材を多量に必要とする問題点もあった。
そこで、本発明の目的は、保温のための建物を必要としないか又は暖房のためのエネルギーの使用量を削減できると共に膜モジュールを地上に支持するための鋼材の使用量を削減することが出来る膜モジュール設備を提供することにある。
【課題を解決するための手段】
【０００５】
第１の観点では、本発明は、膜モジュール（１）の膜モジュール外筒（１ａ）の少なくとも下半分を地中（Ｇ）に埋設することを特徴とする膜モジュール設備（１００）を提供する。
上記構成において、地中（Ｇ）とは、土中、砂中、砂利中またはこれらの組み合わせを含むものとする。
上記第１の観点による膜モジュール設備（１００）では、膜モジュール外筒（１ａ）の少なくとも下半分を地中に埋設するが、地中は寒冷地の冬期の気温よりも温度が高くなっている。従って、保温のための建物を必要としないか又は暖房のためのエネルギーの使用量を削減できる。さらに、膜モジュール（１）の支持に地圧を利用できるため、鋼材は必要ないか又は補助的に少量で済み、鋼材の使用量を削減することが出来る。
【０００６】
第２の観点では、本発明は、前記第１の観点による膜モジュール設備（１００）において、前記膜モジュール（１）は、膜モジュール外筒（１ａ）の上方へ膜糸部分（１ｂ）を引き出すことができるタイプの膜モジュールであることを特徴とする膜モジュール設備（１００）を提供する。
上記第２の観点による膜モジュール設備（１００）では、膜モジュール外筒（１ａ）の上方へ膜糸部分（１ｂ）を引き出すことができるタイプの膜モジュール（１）を用いるので、膜糸部分（１ｂ）を膜モジュール外筒（１ａ）の上方へ引き出すのに必要な膜モジュール外筒（１ａ）の上部を地上に出しておけば、メンテナンスが容易になる。膜モジュール外筒（１ａ）全体を埋設した場合でも、膜モジュール外筒（１ａ）の上部のみを掘り出せばメンテナンスが可能になる。
【０００７】
第３の観点では、本発明は、前記第１または第２の観点による膜モジュール設備（１００）において、前記膜モジュール外筒（１ａ）の上部を地上に出したことを特徴とする膜モジュール設備（１００）を提供する。
上記第３の観点による膜モジュール設備（１００）では、膜モジュール外筒（１ａ）の上部を地上に出しておくため、メンテナンスに便利になる。
【発明の効果】
【０００８】
本発明の膜モジュール設備によれば、保温のための建物を必要としないか、又は、暖房のためのエネルギーの使用量を削減できる。また、鋼材の使用量を削減することが出来る。さらに、メンテナンスも容易にできる。
【発明を実施するための最良の形態】
【０００９】
以下、図に示す実施の形態により本発明をさらに詳細に説明する。なお、これにより本発明が限定されるものではない。
【実施例１】
【００１０】
図１は、実施例１に係る膜モジュール設備１００を示す縦断面図である。なお、断面図は、配管が判りやすいように描いてあり、平面で切断した断面ではない。図２は、同上面図である。
この膜モジュール設備１００は、複数の膜モジュール１と、複数の膜モジュール１の一次側に並列に原水を供給するための原水管２と、複数の膜モジュール１の二次側に出てくるろ過水を並列に取り出すと共に逆洗時に複数の膜モジュール１の二次側に洗浄水を並列に供給するためのろ過水・洗浄水管３と、逆洗時に複数の膜モジュール１の一次側に出てくる洗浄水を並列に排水するための洗浄排水管４と、逆洗時に複数の膜モジュール１の一次側に空気水を並列に供給するための空気管５と、洗浄前後に複数の膜モジュール１の一次側からに排水するためのドレン排水管６とを具備している。膜モジュール１の周辺の地上面はコンクリート１０で覆われている。
【００１１】
膜モジュール１は、膜モジュール外筒１ａの上方へ膜糸部分１ｂを引き出すことができるタイプの膜モジュールで、中空糸タイプの膜を使用している。
【００１２】
各膜モジュール１の膜モジュール外筒１ａの少なくとも下半分は地中Ｇに埋設されており、各膜モジュール１は地圧とコンクリート１０により支持されている。
原水管２と空気管５とドレン排水管６も地中Ｇに埋設されている。
【００１３】
少なくとも各膜モジュール１の膜糸部分１ｂを膜モジュール外筒１ａの上方へ引き出すのに必要な膜モジュール外筒１ａの上部は地上に出ている。
ろ過水・洗浄水管３と洗浄排水管４も地上に出ている。
【００１４】
膜モジュール外筒１ａの地上に出ている部分を保温材（図示省略）で包むのが好ましい。これは、運転停止時に滞水して凍結することを防止するためである。
【００１５】
実施例１の膜モジュール設備１００によれば次の効果が得られる。
（１）膜モジュール外筒１ａの少なくとも下半分を地中に埋設するが、地中は寒冷地の冬期の気温よりも温度が高くなっている。従って、保温のための建物を必要としないか、又は、暖房のためのエネルギーの使用量を削減できる。
（２）膜モジュール外筒１ａの上方へ膜糸部分１ｂを引き出すことができるタイプの膜モジュール１を用いると共に膜糸部分１ｂを膜モジュール外筒１ａの上方へ引き出すのに必要な膜モジュール外筒１ａの上部を地上に出しているから、メンテナンスも容易にできる。
（３）膜モジュール１の支持に地圧を利用できるため、膜モジュール１を支持するための鋼材は必要ないか、又は、補助的に少量で済み、鋼材の使用量を削減することが出来る。
（４）膜モジュール１の周辺の地上面をコンクリート１０で覆うため、膜モジュール１を地圧で支持する安定性を高めることが出来る。なお、コンクリートの代わりに鋼材や木材を用いて地表面で膜モジュール外筒１ａを固定してもよい。この場合も、膜モジュール１を地圧で支持する安定性を高めることが出来る。
【実施例２】
【００１６】
図３は、実施例２に係る膜モジュール設備２００を示す縦断面図である。なお、断面図は、配管が判りやすいように描いてあり、平面で切断した断面ではない。図４は、同上面図である。
この膜モジュール設備２００は、実施例１の膜モジュール設備１００と基本的に同じであるが、地表面Ｆよりも上にコンクリート１０の升を作って、その升に盛土１１を入れ、ろ過水・洗浄水管３まで土に埋めてしまった構成である。
【００１７】
実施例２の膜モジュール設備２００によれば、土による断熱・保温効果を向上することが出来る。
【産業上の利用可能性】
【００１８】
本発明の膜モジュール設備は、河川水や、湖沼水や、地下水や、それらを凝集・砂ろ過した水などの原水を、ろ過膜を使用して水処理する分野において利用できる。
【図面の簡単な説明】
【００１９】
【図１】実施例１に係る膜モジュール設備を示す縦断面図である。
【図２】実施例１に係る膜モジュール設備を示す上面図である。
【図３】実施例２に係る膜モジュール設備を示す縦断面図である。
【図４】実施例２に係る膜モジュール設備を示す上面図である。
【符号の説明】
【００２０】
１                  膜モジュール
１ａ                膜モジュール外筒
１ｂ                膜糸部分
１０                コンクリート
１００，２００      膜モジュール設備
Ｆ                  地表面
Ｇ                  地中
【図１】
2007144357.tif 000003
【図２】
2007144357.tif 000004
【図３】
2007144357.tif 000005
【図４】
2007144357.tif 000006